(57)【要約】【課題】直接接触式の復水器へ冷却水として戻す水に混在する気泡の量を低減する。【解決手段】実施形態の冷却塔は、本体部と散水部と水槽と板状体とを備え、蒸気タービンから排出された蒸気に冷却水を直接接触させることによって蒸気を凝縮する復水器から流入する水を冷却する。本体部は、冷却空気が給気口を介して外部から内部へ供給され、その冷却空気が排気口を介して内部から外部へ排出される。散水部は、本体部の内部に設置されており、復水器から排出された水を本体部の内部において散布して冷却空気に接触させることによって、復水器から排出された水を冷却する。水槽は、本体部の下方に設置されており、散水部によって散布されて落下した水を貯め、その貯めた水が冷却水として排水口から復水器へ戻される。板状体は、散水部と水槽との間に設置されており、散水部によって散布された水は、その板状体の上面に落下した後に、水槽に流入する。【選択図】図１
2016142504.tif 000002
【特許請求の範囲】
【請求項１】
蒸気タービンから排出された蒸気に冷却水を直接接触させることによって前記蒸気を凝縮する復水器から流入する水を冷却し、当該冷却した水が前記冷却水として前記復水器へ供給される冷却塔であって、
冷却空気が給気口を介して外部から内部へ供給され、前記冷却空気が排気口を介して内部から外部へ排出される本体部と、
前記本体部の内部に設置されており、前記復水器から排出された水を前記本体部の内部において散布して前記冷却空気に接触させることによって、前記復水器から排出された水を冷却する散水部と、
前記本体部の下方に設置されており、前記散水部によって散布されて落下した水を貯め、当該貯めた水が前記冷却水として排水口から前記復水器へ戻される水槽と、
前記散水部と前記水槽との間に設置されている板状体と
を有し、
前記散水部によって散布された水は、前記板状体の上面に落下した後に、前記水槽に流入することを特徴とする、
冷却塔。
【請求項２】
前記板状体において前記水槽の前記排水口の側に位置する一端が当該一端に対して反対に位置する他端よりも上方に位置するように、前記板状体の上面が傾斜している、
請求項１に記載の冷却塔。
【請求項３】
前記水槽は、一定量の水を貯めるように構成されており、
前記板状体において前記水槽の前記排水口の側に位置する一端が、前記水槽に蓄えられた一定量の水の水面よりも上方に位置すると共に、前記板状体において当該一端に対して反対に位置する他端が前記水槽に蓄えられた一定量の水の水面よりも下方に位置するように、前記板状体が設置されている、
請求項２に記載の冷却塔。
【請求項４】
蒸気タービンから排出された蒸気に冷却水を直接接触させることによって前記蒸気を凝縮する復水器から流入する水を冷却し、当該冷却した水が前記冷却水として前記復水器へ供給される冷却塔であって、
冷却空気が給気口を介して外部から内部へ供給され、前記冷却空気が排気口を介して内部から外部へ排出される本体部と、
前記本体部の内部に設置されており、前記復水器から排出された水を前記本体部の内部において散布して前記冷却空気に接触させることによって、前記復水器から排出された水を冷却する散水部と、
前記本体部の下方に設置されており、前記散水部によって散布されて落下した水を貯め、当該貯めた水が前記冷却水として排水口から前記復水器へ戻される水槽と、
前記散水部と前記水槽との間に設置されている格子板と
を有し、
前記散水部によって散布された水は、前記格子板を介して、前記水槽に流入することを特徴とする、
冷却塔。
【請求項５】
前記水槽は、一定量の水を貯めるように構成されており、
前記格子板の上部が、前記水槽に蓄えられた一定量の水の水面よりも上方に位置し、前記格子板の下部が、前記水槽に蓄えられた一定量の水の水面よりも下方に位置するように、前記板状体が設置されている、
請求項４に記載の冷却塔。
【請求項６】
蒸気タービンから排出された蒸気に冷却水を直接接触させることによって前記蒸気を凝縮する復水器から流入する水を冷却し、当該冷却した水が前記冷却水として前記復水器へ供給される冷却塔であって、
冷却空気が給気口を介して外部から内部へ供給され、前記冷却空気が排気口を介して内部から外部へ排出される本体部と、
前記本体部の内部に設置されており、前記復水器から排出された水を前記本体部の内部において散布して前記冷却空気に接触させることによって、前記復水器から排出された水を冷却する散水部と、
前記本体部の下方に設置されており、前記散水部によって散布されて落下した水を貯め、当該貯めた水が前記冷却水として排水口から前記復水器へ戻される水槽と、
前記散水部と前記水槽との間に設置されている多孔質体と
を有し、
前記散水部によって散布された水は、前記多孔質体を介して、前記水槽に流入することを特徴とする、
冷却塔。
【請求項７】
前記水槽は、一定量の水を貯めるように構成されており、
前記多孔質体は、前記水槽に蓄えられた一定量の水の水面に位置するように設置されている、
請求項６に記載の冷却塔。
【請求項８】
蒸気タービンから排出された蒸気に冷却水を直接接触させることによって前記蒸気を凝縮する復水器から流入する水を冷却し、当該冷却した水が前記冷却水として前記復水器へ供給される冷却塔であって、
冷却空気が給気口を介して外部から内部へ供給され、前記冷却空気が排気口を介して内部から外部へ排出される本体部と、
前記本体部の内部に設置されており、前記復水器から排出された水を前記本体部の内部において散布して前記冷却空気に接触させることによって、前記復水器から排出された水を冷却する散水部と、
前記本体部の下方に設置されており、前記散水部によって散布されて落下した水を貯め、当該貯めた水が前記冷却水として排水口から前記復水器へ戻される水槽と、
前記水槽の内部に設置されている多孔質体と
を有し、
前記多孔質体は、前記水槽のうち前記散水部によって散布された水が落下する部分よりも前記排水口の側に位置する部分に設置されていることを特徴とする、
冷却塔。
【発明の詳細な説明】
【技術分野】
【０００１】
本発明の実施形態は、冷却塔に関する。
【背景技術】
【０００２】
蒸気タービンシステムにおいて、冷却塔は、蒸気タービンから排出された蒸気について復水器が凝縮した水を冷却する。冷却塔は、たとえば、空冷式であって、冷却空気を用いて、復水器から流入した水について冷却を行う。地熱発電プラントのように、冷却水を確保することが困難な場所に設置される場合には、空冷式の冷却塔が設置される場合が多い。
【０００３】
図６は、関連技術において、蒸気タービンシステムに設置された冷却塔を模式的に示す図である。図６では、冷却塔に関して、水平面（ｘｙ面）に対して垂直な鉛直面（ｚｙ面）の断面を示している。また、図６では、冷却塔と復水器との間を循環する水（液相水）の流れを太い実線の矢印で示し、冷却空気の流れを太い破線の矢印で示している。
【０００４】
図６に示すように、冷却塔１０は、本体部１１と散水部１２と水槽１３とを備えている。冷却塔１０は、復水器２０から流入する水を冷却し、その冷却した水を復水器２０へ戻すように構成されている。
【０００５】
ここでは、復水器２０は、直接接触式であって、蒸気タービン（図示省略）から排出された蒸気に冷却水を直接接触させることによって、その蒸気を凝縮する。そして、復水器２０において凝縮された水および冷却水として用いられた水が、ポンプＰ２０を介して、冷却塔１０に流れる。冷却塔１０は、空冷式であって、冷却空気を用いて、復水器２０から流入した水を冷却する。冷却塔１０において冷却された水は、復水器２０へ供給され、復水器２０において冷却水として用いられる。このように、冷却塔１０と復水器２０との間で循環される水（循環水）を冷却塔１０が冷却する。
【０００６】
冷却塔１０を構成する各部について、順次、説明する。
【０００７】
冷却塔１０のうち、本体部１１は、容器であって、給気口１１１と排気口１１２とが形成されている。本体部１１において、給気口１１１は、本体部１１の側面に形成されている。排気口１１２は、本体部１１の上面に形成されている。そして、本体部１１の内部において排気口１１２に近い上部には、ファン１１３が設置されている。この他に、本体部１１は、下部に開口１１４が形成されている。本体部１１では、ファン１１３が駆動することによって、冷却空気が給気口１１１を介して外部から内部へ供給され、その冷却空気が排気口１１２を介して内部から外部へ排出される。
【０００８】
冷却塔１０のうち、散水部１２は、本体部１１の内部に設置されている。ここでは、散水部１２は、排気口１１２およびファン１１３よりも下方であって、給気口１１１よりも上方に位置するように設置されている。散水部１２は、散水器であって、ポンプＰ２０が設けられた配管Ｌ２０を介して、復水器２０から水が供給され、その水を本体部１１の内部において散布する。散水部１２によって散布された水は、本体部１１を流れる冷却空気に接触して冷却される。ここでは、散水部１２によって散布された水と冷却空気との間において熱交換が行われることによって、散水部１２が散布した水の温度が低下する。これと共に、散水部１２によって散布された水の一部が蒸発するときに生ずる蒸発潜熱によって、散水部１２が散布した水の温度が低下する。
【０００９】
冷却塔１０のうち、水槽１３は、本体部１１の下方に設置されている。水槽１３は、上部に開口１３１が設けられており、散水部１２によって散布された水が、その開口１３１を介して内部に落下する。そして、水槽１３は、その散水部１２によって散布され落下した水を貯める。水槽１３は、排水口１３２が側部に形成されている。水槽１３で貯められた水は、排水口１３２から配管Ｌ１３を介して復水器２０へ戻されて、冷却水として用いられる。水槽１３は、一定量の水を貯め、その貯めた水の水面の位置が一定になるように、貯水量が調整される。
【先行技術文献】
【特許文献】
【００１０】
【特許文献１】特開平１０−２１３３９４号公報
【発明の概要】
【発明が解決しようとする課題】
【００１１】
上記の空冷式の冷却塔１０では、散水部１２によって散布された水が、水槽１３に貯められた水の水面に、直接、落下する。このため、水面に落下したときに気泡が生じて、水槽１３に貯められた水に気泡が多く混在する場合がある。
【００１２】
その結果、直接接触式の復水器２０では、水槽１３から冷却水として戻される水に気泡が多く混在することになるので、復水器２０の内部の真空度が低下する場合がある。また、復水器２０の内部において、不凝縮ガスを効果的に抽出することが容易でなくなる場合がある。
【００１３】
この他に、水槽１３から復水器２０へ流す水の流量を高精度に測定することが困難な場合がある。特に、超音波流量計を用いて水の流量を測定する場合には、気泡が超音波を散乱させるために、流量の測定精度が低下する場合がある。
【００１４】
そして、これらに起因して、蒸気タービンシステムの性能が低下する場合がある。
【００１５】
したがって、本発明が解決しようとする課題は、直接接触式の復水器へ冷却水として戻す水に混在する気泡の量を低減可能な冷却塔を提供することである。
【課題を解決するための手段】
【００１６】
実施形態の冷却塔は、蒸気タービンから排出された蒸気に冷却水を直接接触させることによって蒸気を凝縮する復水器から流入する水を冷却する。その冷却した水は、冷却水として復水器へ供給される。実施形態の冷却塔は、本体部と散水部と水槽と板状体とを備える。本体部は、冷却空気が給気口を介して外部から内部へ供給され、その冷却空気が排気口を介して内部から外部へ排出される。散水部は、本体部の内部に設置されており、復水器から排出された水を本体部の内部において散布して冷却空気に接触させることによって、復水器から排出された水を冷却する。水槽は、本体部の下方に設置されており、散水部によって散布されて落下した水を貯め、その貯めた水が冷却水として排水口から復水器へ戻される。板状体は、散水部と水槽との間に設置されており、散水部によって散布された水は、その板状体の上面に落下した後に、水槽に流入する。
【図面の簡単な説明】
【００１７】
【図１】図１は、第１実施形態に係る冷却塔を模式的に示す図である。
【図２】図２は、第２実施形態に係る冷却塔を模式的に示す図である。
【図３】図３は、第２実施形態に係る冷却塔において、格子板を模式的に示す図である。
【図４】図４は、第３実施形態に係る冷却塔を模式的に示す図である。
【図５】図５は、第４実施形態に係る冷却塔を模式的に示す図である。
【図６】図６は、関連技術において、蒸気タービンシステムに設置された冷却塔を模式的に示す図である。
【発明を実施するための形態】
【００１８】
実施形態について、図面を参照して説明する。
【００１９】
＜第１実施形態＞
［Ａ］構成
図１は、第１実施形態に係る冷却塔を模式的に示す図である。図１では、図６と同様に、冷却塔に関して、水平面（ｘｙ面）に対して垂直な鉛直面（ｚｙ面）の断面を示している。また、図１では、図６と同様に、冷却塔と復水器との間を循環する水（液相水）の流れを太い実線の矢印で示し、冷却空気の流れを太い破線の矢印で示している。
【００２０】
図１に示すように、本実施形態の冷却塔１０は、関連技術の場合（図６参照）と同様に、本体部１１と散水部１２と水槽１３とを備えている。しかし、本実施形態の冷却塔１０は、関連技術の場合と異なり、板状体１５を更に備える。本実施形態は、上記の点、及び、関連する点を除き、上記の関連技術の場合と同様である。このため、本実施形態において関連技術の場合と重複する個所については、適宜、記載を省略する。
【００２１】
本実施形態の冷却塔１０において、板状体１５は、図１に示すように、散水部１２と水槽１３との間に設置されている。板状体１５は、たとえば、支柱（図示省略）を介して水槽１３に支持されている。板状体１５は、たとえば、矩形形状の平板である。板状体１５は、たとえば、鋼などの金属材料、繊維強化プラスチックなどの有機樹脂材料を用いて形成されている。
【００２２】
ここでは、板状体１５は、上面が水平面（ｘｙ面）に対して傾斜するように設置されている。具体的には、板状体１５の上面は、水槽１３の排水口１３２の側に位置する一端（図１では右端）が、その一端に対して反対に位置する他端（図１では左端）よりも上方に位置するように傾斜している。
【００２３】
また、板状体１５は、水槽１３において蓄えられた水に一部が浸漬した状態になるように設置されている。具体的には、板状体１５は、水槽１３の排水口１３２の側に位置する一端（図１では右端）が、水槽１３に蓄えられた一定量の水の水面よりも上方に位置すると共に、板状体１５において一端に対して反対に位置する他端（図１では左端）が水槽１３に蓄えられた一定量の水の水面よりも下方に位置している。
【００２４】
本実施形態の冷却塔１０の動作について、具体的に説明する。
【００２５】
本実施形態の冷却塔１０において、散水部１２によって散布された水は、関連技術の場合（図６参照）と同様に、本体部１１において落下するときに、給気口１１１から排気口１１２へ流れる冷却空気に接触して冷却される。そして、その散水部１２によって散布された水は、冷却された後に、水槽１３に貯められる。
【００２６】
本実施形態では、図１に示すように、関連技術の場合（図６参照）と異なり、散水部１２によって散布された水は、板状体１５の上面に落下した後に、水槽１３に流入する。ここでは、板状体１５の上面に落下した水は、水槽１３の排水口１３２の側に位置する一端（右端）から、その一端に対して反対に位置する他端（左端）へ向かって流れることによって、水槽１３に流入して貯められる。つまり、本実施形態では、散水部１２によって散布された水は、水槽１３に貯えられた水の水面に、直接、落下しない。
【００２７】
［Ｂ］まとめ
以上のように、本実施形態では、散水部１２によって散布された水は、水槽１３に貯えられた水の水面に直接的に落下せずに、板状体１５を介して水槽１３に流入して貯められる。このため、本実施形態では、水槽１３に貯められた水に気泡が多く混在することを抑制可能である。その結果、本実施形態においては、直接接触式の復水器２０へ冷却水として戻す水に混在する気泡の量を低減可能である。
【００２８】
また、本実施形態では、板状体１５の上面は、上述したように、水槽１３の排水口１３２の側に位置する一端（右端）が他端（左端）よりも上方に位置するように、水平面（ｘｙ面）に対して傾斜している。これにより、本実施形態では、板状体１５の上面に落下した水が、水槽１３の排水口１３２から離れた他端（左端）において水槽１３に流入し貯められる。このため、本実施形態では、水槽１３の排水口１３２から離れた他端（左端）から一端（右端）へ向かって水が流れるときに、その水に混入した気泡が浮き上がる。その結果、本実施形態においては、直接接触式の復水器２０へ冷却水として戻す水に混在する気泡の量を、効果的に低減可能である。
【００２９】
この他に、本実施形態では、板状体１５は、上述したように、一端（右端）が、水槽１３に蓄えられた水の水面よりも上方に位置すると共に、他端が水槽１３に蓄えられた水の水面よりも下方に位置している。このため、本実施形態では、板状体１５の上面に落下した水が、水槽１３に貯えられた水の水面へ向かって、鉛直方向ｚに沿って落下しない。その結果、本実施形態においては、気泡の発生を効果的に抑制することができるので、直接接触式の復水器２０へ冷却水として戻す水に混在する気泡の量を、更に効果的に低減可能である。
【００３０】
［Ｃ］変形例
上記の実施形態では、板状体１５の上面が水平面（ｘｙ面）に対して傾斜する場合について説明したが、これに限らない。板状体１５の上面が水平面（ｘｙ面）に対して傾斜せずに水平面（ｘｙ面）に沿うように、板状体１５を設置してもよい。
【００３１】
上記の実施形態では、板状体１５の一部が、水槽１３において蓄えられた水に浸漬した状態になる場合について説明したが、これに限らない。板状体１５が水槽１３において蓄えられた水に浸漬せずに、水槽１３に蓄えられた水の水面の上方に板状体１５が位置するように、板状体１５を設置してもよい。
【００３２】
＜第２実施形態＞
［Ａ］構成
図２は、第２実施形態に係る冷却塔を模式的に示す図である。図２では、図１と同様に、冷却塔に関して、水平面（ｘｙ面）に対して垂直な鉛直面（ｚｙ面）の断面を示している。また、図２では、図１と同様に、冷却塔と復水器との間を循環する水（液相水）の流れを太い実線の矢印で示し、冷却空気の流れを太い破線の矢印で示している。
【００３３】
図２に示すように、本実施形態の冷却塔１０は、第１実施形態の場合（図１参照）と同様に、本体部１１と散水部１２と水槽１３とを備えている。しかし、本実施形態の冷却塔１０は、第１実施形態の場合と異なり、板状体１５でなく、格子板１５ｂを備える。本実施形態は、上記の点、及び、関連する点を除き、上記の実施形態の場合と同様である。このため、本実施形態において上記の実施形態の場合と重複する個所については、適宜、記載を省略する。
【００３４】
本実施形態の冷却塔１０において、格子板１５ｂは、図２に示すように、散水部１２と水槽１３との間に設置されている。格子板１５ｂは、たとえば、支柱（図示省略）を介して水槽１３に支持されている。格子板１５ｂは、たとえば、鋼などの金属材料、繊維強化プラスチックなどの有機樹脂材料を用いて形成されている。
【００３５】
ここでは、格子板１５ｂは、上面が水平面（ｘｙ面）に沿うように設置されている。また、格子板１５ｂは、水槽１３において蓄えられた水に一部が浸漬した状態になるように設置されている。具体的には、格子板１５ｂの上部が、水槽１３に蓄えられた一定量の水の水面よりも上方に位置し、格子板１５ｂの下部が、水槽１３に蓄えられた一定量の水の水面よりも下方に位置するように、板状体１５が設置されている。
【００３６】
図３は、第２実施形態に係る冷却塔において、格子板を模式的に示す図である。図３では、水平面（ｘｙ面）に沿った上面について示している。
【００３７】
図３に示すように、格子板１５ｂは、たとえば、矩形形状の板状体に複数の貫通孔１５１が形成されている。複数の貫通孔１５１は、たとえば、水平面（ｘｙ面）に沿った第１水平方向（ｘ方向）と、その水平面（ｘｙ面）において第１水平方向（ｘ方向）に直交する第２水平方向（ｙ方向）とのそれぞれにおいて間を隔てて並ぶように形成されている。
【００３８】
本実施形態の冷却塔１０の動作について、具体的に説明する。
【００３９】
本実施形態の冷却塔１０において、散水部１２によって散布された水は、第１実施形態の場合（図１参照）と同様に、本体部１１において給気口１１１から排気口１１２へ流れる冷却空気に接触して冷却される。そして、その散水部１２によって散布された水は、冷却された後に、水槽１３に貯められる。
【００４０】
本実施形態では、図２に示すように、散水部１２によって散布された水は、格子板１５ｂを介して、水槽１３に流入する。ここでは、散水部１２によって散布された水の一部は、格子板１５ｂの上面に落下した後に、水槽１３に流入して貯められる。そして、散水部１２によって散布された水の残りの一部は、格子板１５ｂの貫通孔１５１を介在して、水槽１３に落下して貯められる。
【００４１】
［Ｂ］まとめ
以上のように、本実施形態では、散水部１２によって散布された水は、格子板１５ｂを介して、水槽１３に流入するので、水槽１３に貯められた水に気泡が多く混在することを抑制可能である。具体的には、本実施形態では、散水部１２によって散布されて落下する水の運動エネルギーを格子板１５ｂによって分散させることができる。その結果、本実施形態においては、直接接触式の復水器２０へ冷却水として戻す水に混在する気泡の量を低減可能である。
【００４２】
この他に、本実施形態では、上述したように、格子板１５ｂの上部が、水槽１３に蓄えられた一定量の水の水面よりも上方に位置し、格子板１５ｂの下部が、水槽１３に蓄えられた一定量の水の水面よりも下方に位置している。このため、本実施形態では、格子板１５ｂの上面に落下した水が、水槽１３に貯えられた水の水面へ向かって落下する距離が短い。その結果、本実施形態においては、気泡の発生を効果的に抑制することができるので、直接接触式の復水器２０へ冷却水として戻す水に混在する気泡の量を、更に効果的に低減可能である。
【００４３】
［Ｃ］変形例
上記の実施形態では、格子板１５ｂの一部が、水槽１３に蓄えられた水に浸漬した状態になる場合について説明したが、これに限らない。格子板１５ｂが水槽１３に蓄えられた水に浸漬せずに、水槽１３に蓄えられた水の水面の上方に格子板１５ｂが位置するように、格子板１５ｂを設置してもよい。
【００４４】
＜第３実施形態＞
［Ａ］構成
図４は、第３実施形態に係る冷却塔を模式的に示す図である。図４では、図１と同様に、冷却塔に関して、水平面（ｘｙ面）に対して垂直な鉛直面（ｚｙ面）の断面を示している。また、図４では、図１と同様に、冷却塔と復水器との間を循環する水（液相水）の流れを太い実線の矢印で示し、冷却空気の流れを太い破線の矢印で示している。
【００４５】
図４に示すように、本実施形態の冷却塔１０は、第１実施形態の場合（図１参照）と同様に、本体部１１と散水部１２と水槽１３とを備えている。しかし、本実施形態の冷却塔１０は、第１実施形態の場合と異なり、板状体１５でなく、多孔質体１５ｃを備える。本実施形態は、上記の点、及び、関連する点を除き、上記の実施形態の場合と同様である。このため、本実施形態において上記の実施形態の場合と重複する個所については、適宜、記載を省略する。
【００４６】
本実施形態の冷却塔１０において、多孔質体１５ｃは、図４に示すように、散水部１２と水槽１３との間に設置されている。多孔質体１５ｃは、たとえば、板状体であって、支柱（図示省略）を介して水槽１３に支持されている。多孔質体１５ｃは、複数の細孔（図示省略）が内部に形成された物質であって、たとえば、ウレタン樹脂などの有機材料で形成されたスポンジである。この他に、多孔質体１５ｃは、軽石などの無機材料で形成されたものであってもよい。
【００４７】
多孔質体１５ｃは、上面が水平面（ｘｙ面）に沿うように設置されている。ここでは、多孔質体１５ｃは、水槽１３において蓄えられた水の水面に設置されている。つまり、多孔質体１５ｃは、水を保持した状態になるように、水面に敷き詰められる。
【００４８】
本実施形態の冷却塔１０の動作について、具体的に説明する。
【００４９】
本実施形態の冷却塔１０において、散水部１２によって散布された水は、第１実施形態の場合（図１参照）と同様に、本体部１１において給気口１１１から排気口１１２へ流れる冷却空気に接触して冷却される。そして、その散水部１２によって散布された水は、冷却された後に、水槽１３に貯められる。
【００５０】
本実施形態では、図４に示すように、散水部１２によって散布された水は、多孔質体１５ｃを介して、水槽１３に流入する。ここでは、散水部１２によって散布された水は、多孔質体１５ｃの上面に落下した後に、多孔質体１５ｃに吸収されて、水槽１３に流入する。
【００５１】
［Ｂ］まとめ
以上のように、本実施形態では、散水部１２によって散布された水は、多孔質体１５ｃを介して、水槽１３に流入するので、水槽１３に貯められた水に気泡が多く混在することを抑制可能である。その結果、本実施形態においては、直接接触式の復水器２０へ冷却水として戻す水に混在する気泡の量を低減可能である。
【００５２】
＜第４実施形態＞
［Ａ］構成
図５は、第４実施形態に係る冷却塔を模式的に示す図である。図５では、図１と同様に、冷却塔に関して、水平面（ｘｙ面）に対して垂直な鉛直面（ｚｙ面）の断面を示している。また、図５では、図１と同様に、冷却塔と復水器との間を循環する水（液相水）の流れを太い実線の矢印で示し、冷却空気の流れを太い破線の矢印で示している。
【００５３】
図５に示すように、本実施形態の冷却塔１０は、第１実施形態の場合（図１参照）と同様に、本体部１１と散水部１２と水槽１３と多孔質体１５ｄとを備えている。しかし、本実施形態の冷却塔１０は、第１実施形態の場合と異なり、板状体１５でなく、多孔質体１５ｄを備える。本実施形態は、上記の点、及び、関連する点を除き、上記の実施形態の場合と同様である。このため、本実施形態において上記の実施形態の場合と重複する個所については、適宜、記載を省略する。
【００５４】
本実施形態の冷却塔１０において、多孔質体１５ｄは、図５に示すように、水槽１３の内部に設置されている。ここでは、多孔質体１５ｄは、水槽１３のうち散水部１２によって散布された水が落下する部分よりも排水口１３２の側に位置する部分に設置されている。多孔質体１５ｄは、たとえば、板状体であって、たとえば、ウレタン樹脂などの有機材料で形成されたスポンジである。この他に、多孔質体１５ｄは、軽石などの無機材料で形成されたものであってもよい。
【００５５】
本実施形態の冷却塔１０の動作について、具体的に説明する。
【００５６】
本実施形態の冷却塔１０において、散水部１２によって散布された水は、関連技術の場合（図６参照）と同様に、本体部１１において給気口１１１から排気口１１２へ流れる冷却空気に接触して冷却された後に、水槽１３に貯められた水の水面に、直接、落下する。このため、上述したように、水面に落下したときに気泡が生じて、水槽１３に貯められた水に気泡が多く混在する場合がある。
【００５７】
しかし、本実施形態では、図５に示すように、水槽１３に貯められた水は、多孔質体１５ｄを介して、水槽１３から排出される。このため、水槽１３に貯められた水に含まれる気泡が、多孔質体１５ｄによって消される。
【００５８】
［Ｂ］まとめ
以上のように、本実施形態では、水槽１３に貯められた水に含まれる気泡の量が、多孔質体１５ｄによって減少するので、直接接触式の復水器２０へ冷却水として戻す水に混在する気泡の量を低減可能である。この他に、本実施形態では、水槽１３に貯められた水に含まれる固体の異物を多孔質体１５ｄが捕捉することができる。
【００５９】
＜その他＞
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０…冷却塔、１１…本体部、１２…散水部、１３…水槽、１５…板状体、１５ｂ…格子板、１５ｃ…多孔質体、１５ｄ…多孔質体、２０…復水器、１１１…給気口、１１２…排気口、１１３…ファン、１１４…開口、１３１…開口、１３２…排水口、１５１…貫通孔、Ｌ１３…配管、Ｌ２０…配管、Ｐ２０…ポンプ
【図１】
2016142504.tif 000003
【図２】
2016142504.tif 000004
【図３】
2016142504.tif 000005
【図４】
2016142504.tif 000006
【図５】
2016142504.tif 000007
【図６】
2016142504.tif 000008